(57)【要約】【課題】  利用者の近傍にある通信端末を、利用者が自身の専用の端末として利用することを容易に可能とする。【解決手段】  呼制御装置は、利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信する第１のインタフェースと、  前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する第１の制御部と、を備える。【選択図】  図１
2018019117.tif 000002
【特許請求の範囲】
【請求項１】
利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信する第１のインタフェースと、
前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する第１の制御部と、
を備える呼制御装置。
【請求項２】
前記第１の制御部は、
前記受信強度が所定の閾値以上である前記無線情報に含まれる前記識別情報に対応する前記利用者の電話番号を前記利用者情報から選択し、
選択された前記利用者の電話番号を、前記通信端末の発信者情報として用いられるメイン電話番号として登録し、
前記利用者情報に含まれる前記利用者の電話番号のうち、前記メイン電話番号以外の電話番号を、他の通信端末から前記通信端末への発信に用いられるサブ電話番号として登録する、
請求項１に記載された呼制御装置。
【請求項３】
前記第１の制御部は、
前記識別情報毎に優先度が設定された第１の優先度情報を保持し、
前記受信強度が前記閾値以上である前記無線情報が複数ある場合には、前記第１の優先度情報に基づいて選択された一の前記利用者の電話番号を前記メイン電話番号として登録する、
請求項２に記載された呼制御装置。
【請求項４】
前記第１の制御部は、
前記識別情報に対応する電話番号が他の通信端末の電話番号として使用されている場合には、前記通信端末及び前記他の通信端末から通知されたそれぞれの前記受信強度に基づいて、前記通信端末及び前記他の通信端末のいずれか一方に電話番号を登録する、
請求項１乃至３のいずれか１項に記載された呼制御装置。
【請求項５】
前記第１の制御部は、
前記通信端末及び前記他の通信端末にそれぞれ優先度が設定された第２の優先度情報を保持し、
前記通信端末及び前記他の通信端末から通知されたそれぞれの前記受信強度がいずれも所定の範囲内にある場合には、前記第２の優先度情報に基づいて選択された一の通信端末にのみ電話番号を登録する、
請求項４に記載された呼制御装置。
【請求項６】
利用者が携帯する発信器から無線信号を受信し、受信した前記無線信号の受信強度の情報及び前記無線信号に含まれる前記発信器毎に一意に定まる識別情報を取得する無線インタフェースと、
前記受信強度の情報及び前記識別情報を無線情報として呼制御装置に送信する第２のインタフェースと、
前記無線情報に基づいて前記呼制御装置が生成した制御信号に基づいて自端末を制御する第２の制御部と、
を備える通信端末。
【請求項７】
前記第２の制御部は、前記無線インタフェースから取得した前記無線信号の受信強度の情報が属する段階を判定し、前記無線信号の受信強度の情報が属する前記段階を前記無線情報に含まれる前記受信強度として前記第２のインタフェースに送信させる、
請求項６に記載された通信端末。
【請求項８】
利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信し、
前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する、
呼制御装置の制御方法。
【請求項９】
利用者が携帯する発信器から無線信号を受信し、受信した前記無線信号の受信強度の情報及び前記無線信号に含まれる前記発信器毎に一意に定まる識別情報を取得し、
前記受信強度の情報及び前記識別情報を無線情報として呼制御装置に送信し、
前記無線情報に基づいて前記呼制御装置が生成した制御信号に基づいて自端末を制御する、
通信端末の制御方法。
【請求項１０】
請求項１乃至５のいずれか１項に記載された呼制御装置と、請求項６又は７に記載された通信端末とが通信可能なように接続された、電話システム。
【発明の詳細な説明】
【技術分野】
【０００１】
本発明は呼制御装置及び通信端末に関し、特に、通信端末の電話番号を利用者の状況に応じて登録可能な呼制御装置及び通信端末に関する。
【背景技術】
【０００２】
構内ＰＨＳ（Personal Handyphone System）や携帯電話などの移動電話機を利用することが困難な環境下では、呼制御装置に固定電話機が接続された電話システムが用いられる。通信端末として固定電話機のみが用いられる電話システムでは、固定電話機が設置された場所以外電話サービスを受けることは困難である。
【０００３】
本発明に関連して、特許文献１にはＩＰ電話システムが記載されている。特許文献２には、利用者の所持携帯の子機として設置型移動体通信ネットワーク端末が設定される構成が記載されている。
【先行技術文献】
【特許文献】
【０００４】
【特許文献１】特開２００７−３００４４９号公報
【特許文献２】特開２００７−２９５１３７号公報
【発明の概要】
【発明が解決しようとする課題】
【０００５】
固定電話機が用いられる電話システムでは、一般的に、固定電話機の電話番号は固定されている場合が多い。このため、オフィスにおいて利用者が執務場所を移動し、他の固定電話機を利用する必要がある場合、利用者は、普段利用している電話番号とは異なる電話番号を持つ固定電話機を使用しなければならない。その結果、当該利用者の発信先の電話機が発信者番号通知サービスに対応した電話機である場合でも、着信先において発信者が当該利用者であることを即座に認識できない、という課題が生じていた。
【０００６】
特許文献１に記載されたＩＰ電話システムは、利用者が携帯するＩＣカードに記録された内線番号の情報を電話機とは別の場所にあるカードリーダで読み取り、予め指定された電話端末に内線番号を割り当てる機能を備える。しかしながら、このＩＰ電話システムでは、内線番号の設定のためには、利用者が自分が携帯するカードをカードリーダに読み込ませ、さらに、内線番号を設定する電話機を選択する作業が必要である。このため、利用者は移動するたびにカードリーダの操作及び電話機の選択を行う必要があり、利用者が移動する際の利便性が低いという課題がある。
【０００７】
また、特許文献２に記載されたシステムは、利用者が所持する携帯電話が、設置型移動体通信ネットワーク端末を介して無線型センサーを制御する構成を備える。しかし、特許文献２には、固定電話の利用者が移動する場合の利便性という課題の解決に関する言及はない。
【０００８】
（発明の目的）
本発明の目的は、利用者が、近傍にある通信端末を自身の専用の端末として利用することを容易に可能とするための技術を提供することにある。
【課題を解決するための手段】
【０００９】
本発明の呼制御装置は、利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信する第１のインタフェースと、前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する第１の制御部と、を備える。
【００１０】
本発明の通信端末は、利用者が携帯する発信器から無線信号を受信し、受信した前記無線信号の受信強度の情報及び前記無線信号に含まれる前記発信器毎に一意に定まる識別情報を取得する無線インタフェースと、前記受信強度の情報及び前記識別情報を無線情報として呼制御装置に送信する第２のインタフェースと、前記無線情報に基づいて前記呼制御装置が生成した制御信号に基づいて自端末を制御する第２の制御部と、を備える。
【００１１】
本発明の呼制御装置の制御方法は、利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信し、前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する、手順を含む。
【００１２】
本発明の通信端末の制御方法は、利用者が携帯する発信器から無線信号を受信し、受信した前記無線信号の受信強度の情報及び前記無線信号に含まれる前記発信器毎に一意に定まる識別情報を取得し、前記受信強度の情報及び前記識別情報を無線情報として呼制御装置に送信し、前記無線情報に基づいて前記呼制御装置が生成した制御信号に基づいて自端末を制御する、手順を含む。
【発明の効果】
【００１３】
本発明は、利用者が、近傍にある通信端末を自身の専用の端末として利用することを容易に可能とする。
【図面の簡単な説明】
【００１４】
【図１】第１の実施形態の電話システム１の構成例を示す図である。
【図２】電話システム１で用いられる呼制御サーバ１０１の構成例を示すブロック図である。
【図３】電話システム１で用いられるＩＰ電話機２０１の構成例を示すブロック図である。
【図４】呼制御サーバ１０１内の初期番号登録情報の例である。
【図５】ＩＰ電話機２０１に利用者Ａが接近した場合を説明する図である。
【図６】ＩＰ電話機２０１及び２０２から通知されたＢＬＥ情報に基づいて呼制御サーバ１０１が得る情報の例である。
【図７】ＩＰ電話機２０１に電話番号が登録される様子の例を示す図である。
【図８】ＩＰ電話機２０１に利用者Ａ〜Ｃが接近した場合を説明する図である。
【図９】ＩＰ電話機で受信されるＢＬＥ信号から得られる情報の例を示す図である。
【図１０】ＩＰ電話機毎の優先度設定の例を示す図である。
【図１１】呼制御サーバ１０１に登録される電話番号の例を示す図である。
【図１２】電話システム１における電話番号の登録手順の第１の例を示すフローチャートである。
【図１３】電話システム１における電話番号の登録手順の第２の例を示すフローチャートである。
【発明を実施するための形態】
【００１５】
（第１の実施形態）
図１は、本発明の第１の実施形態の電話システム１の構成例を示す図である。電話システム１は、呼制御サーバ１０１、ＩＰ電話機２０１及び２０２、ＩＰ網３０１を備える。呼制御サーバ１０１、ＩＰ電話機２０１及び２０２は、例えばＳＩＰ（Session Initiation Protocol）に準拠したＩＰ電話システムで用いられる機器である。呼制御サーバ１０１、ＩＰ電話機２０１及び２０２は、ＩＰ網３０１の通信プロトコルであるＩＰ（Internet Protocol）によって互いに接続される。利用者は、ＢＬＥ発信器８０１〜８０３を携帯する。ＢＬＥ発信器８０１〜８０３については後述する。
【００１６】
図２は、呼制御サーバ１０１の構成例を示すブロック図である。呼制御サーバ１０１は、ＩＰ電話機２０１及び２０２を含む電話システム１を制御する機能を備えるコンピュータである。呼制御サーバ１０１は、ＩＰインタフェース１１１及び制御部１１２を備える。ＩＰインタフェース１１１は、ＩＰ網３０１と接続されるインタフェース回路である。制御部１１２は、ＩＰ電話機２０１及び２０２に対する制御を含む電話システム１内のＳＩＰプロトコルの制御、ＩＰ電話機２０１及び２０２で用いられる電話番号の登録、呼制御サーバ１０１自身の制御を行う制御回路である。ＩＰ網３０１は、さらに、ゲートウエイ等を経由して、ＩＰ電話機２０１及び２０２が通話可能な電話機を含む他のネットワークに接続されてもよい。ＳＩＰプロトコルを用いた電話システムの基本的な動作及び構成はよく知られているため、詳細な説明は省略する。
【００１７】
ＩＰ電話機２０１及び２０２は、呼制御サーバ１０１の配下にある、ＳＩＰプロトコルに準拠した固定電話機である。電話システム１が備えるＩＰ電話機の数は２個に限定されず、１個あるいは３個以上でもよい。
【００１８】
図３は、ＩＰ電話機２０１の構成例を示すブロック図である。電話システム１で用いられるＩＰ電話機２０１及び２０２の機能は共通である。従って、以下ではＩＰ電話機２０１を例に説明する。ＩＰ電話機２０１は、ＩＰインタフェース２１１、制御部２１２、ＢＬＥインタフェース２１３を備える。ＩＰインタフェース２１１はＩＰ網３０１と接続される、呼制御サーバ１０１と通信可能なインタフェース回路である。制御部２１２は、ＩＰ電話機２０１全体を制御する、制御回路である。制御部２１２は、呼制御サーバ１０１からの指示に基づいて、発信、着信、発信者電話番号表示、通話、といった、一般的な固定電話機の機能を利用者に提供する。制御部２１２は、表示器、送受話器や操作ボタンなどの、利用者とのインタフェース機器を含む。
【００１９】
ＢＬＥインタフェース２１３は、ＢＬＥ（Bluetooth（登録商標） Low Energy）プロトコルに準拠した無線インタフェース回路である。ＢＬＥは、低速なデータを低消費電力で送信可能なプロトコルである。ＢＬＥでは、用途に応じて何種類かのデバイスが規定されている。例えば、データの送信機能を持つデバイスとして「ブロードキャスター」、データの受信機能を持つデバイスとして「オブザーバ」が規定されている。ＢＬＥインタフェース２１３は、オブザーバの機能を備える。利用者Ａは、ＢＬＥ発信器８０１を携帯する。ＢＬＥ発信器８０１は、「ブロードキャスター」の機能を備える。ＢＬＥインタフェース２１３は、ＢＬＥ発信器８０１が無線で発信する信号（以下、「ＢＬＥ信号」という。）を受信してその強度を測定し、受信強度の情報を生成するとともに、受信したＢＬＥ信号から識別情報を抽出する。識別情報は、ＢＬＥ発信器８０１毎に一意に定まる情報であり、ＢＬＥ発信器８０１は、識別情報を含むＢＬＥ信号を発信する。ＢＬＥ信号から識別情報を抽出することで、ＢＬＥ発信器８０１を携帯する利用者Ａを特定することができる。
【００２０】
ＢＬＥインタフェース２１３は、ＢＬＥ信号の受信強度の情報を生成するとともにＢＬＥ信号から識別情報を抽出し、これらの情報を制御部２１２に通知する。本実施形態では受信強度の情報としてＢＬＥ信号の電界強度を用いる。しかし、ＢＬＥインタフェース２１３は、他の指標に基づいて受信強度の情報を生成してもよい。
【００２１】
制御部２１２は、ＢＬＥインタフェース２１３から通知されたＢＬＥ信号の受信強度の情報（すなわち電界強度）を、「強」、「中」、「弱」の３段階で判定する。「強」は電界強度の測定値が最も強い範囲内にあることを表し、「弱」は電界強度の測定値が最も弱い範囲内にあることを表す。「中」は電界強度の測定値が「強」と「弱」との間にあることを表す。ＢＬＥインタフェース２１３で測定される電解強度は、「強」、「中」、「弱」のいずれかの段階に属するものとする。以下では、電界強度を「強」、「中」、「弱」の３段階で判定した結果を示す情報と識別情報とを含む情報を「ＢＬＥ情報」と記載する。また、電界強度を３段階で判定した結果を単に「電界強度」と記載することがある。なお、上述した制御部２１２における電界強度の判定は、ＢＬＥインタフェース２１３で行われてもよい。
【００２２】
利用者Ａは、ＢＬＥ発信器８０１を携帯する。ＢＬＥ発信器８０１は、利用者Ａの識別情報を含む電波をＢＬＥ信号として周囲に低電力で放射する。ここで、それぞれのＢＬＥ発信器８０１が保持する識別情報によって、利用者が一意に識別される。識別情報として、利用者と一意に対応する文字列が用いられてもよい。電話システム１では、利用者Ａが自身の識別情報を保持するＢＬＥ発信器８０１を携帯することで、呼制御サーバ１０１は、各ＩＰ電話機から通知された識別情報及びＢＬＥ信号の電界強度に基づいて各ＩＰ電話機の近傍にいる利用者Ａを特定することができる。
【００２３】
呼制御サーバ１０１は、識別情報、利用者及び利用者の電話番号の対応を示すテーブルを保持している。呼制御サーバ１０１は、ＩＰ電話機２０１及び２０２から通知された識別情報をキーとして当該テーブルから利用者とその電話番号とを検索する。呼制御サーバ１０１は、それにより、例えば、ＩＰ電話機２０１に接近した利用者Ａ及び利用者ＡがＩＰ電話機２０１を使用するための電話番号を知ることができる。
【００２４】
呼制御サーバ１０１は、ＩＰ電話機２０１及び２０２のそれぞれに対して複数の電話番号を登録できる。それらのうち、１つの電話番号はメイン電話番号として登録される。その他の電話番号はサブ電話番号として登録される。ＩＰ電話機２０１及び２０２のそれぞれの機能の設定は、メイン電話番号に紐づいて設定されてもよい。
【００２５】
ここで、メイン電話番号とは、ＩＰ電話機２０１及び２０２からの発信時に、通話先に発信者電話番号として通知される番号である。また、他の電話機は、メイン電話番号をダイヤルすることでメイン電話番号を持つ電話機に発信できる。一方、サブ電話番号とは、発信時には相手には通知されないが、他の電話機からのダイヤルによって当該電話機へ着信できる電話番号である。すなわち、呼制御サーバ１０１は、ＩＰ電話機２０１及び２０２のメイン電話番号宛及びサブ電話番号宛のいずれの着信についても、それぞれのＩＰ電話機に着信を通知する。
【００２６】
図４は、呼制御サーバ１０１が保持する、初期番号登録情報の例である。ＩＰ電話機２０１及び２０２には、呼制御サーバ１０１によって、それぞれに固有の電話番号が初期番号として登録される。この電話番号を固有電話番号と呼ぶ。固有電話番号は、例えば、ＩＰ電話機２０１及び２０２の設置場所に敷設された有線回線に紐づけられた電話番号であり、特定の利用者には対応しない電話番号である。ＩＰ電話機２０１及び２０２は、利用者の電話番号がメイン電話番号として登録されていない場合には、メイン電話番号がそれぞれの固有電話番号である電話機として動作する。
【００２７】
ＩＰ電話機２０１及び２０２の固有電話番号をそれぞれ「固有電話番号１」及び「固有電話番号２」とすると、呼制御サーバ１０１の起動時に、ＩＰ電話機２０１及び２０２に初期値として登録される電話番号登録情報は図４のようになる。呼制御サーバ１０１は、図４の情報を保持する。固有電話番号１及び２は、実際は、例えば「１００１」又は「２００１」といった、ＩＰ電話機２０１及び２０２のいずれかを呼び出すための電話番号である。
【００２８】
ＩＰ電話機２０１がＢＬＥ信号を受信した場合、そのＢＬＥ信号に含まれる識別情報に対応する利用者の電話番号が、呼制御サーバ１０１によって登録される手順を説明する。さらに、ＩＰ電話機２０１が複数のＢＬＥ信号を受信した場合、受信したＢＬＥ信号のそれぞれの電界強度と予め設定された優先度とに基づいて、ＩＰ電話機２０１の電話番号が登録される手順についても説明する。
【００２９】
図５は、ＩＰ電話機２０１に利用者Ａが接近した場合を説明する図である。ＩＰ電話機２０１にＢＬＥ発信器８０１を持つ利用者Ａが接近すると、ＩＰ電話機２０１は利用者ＡのＢＬＥ信号を受信する。ＩＰ電話機２０１のＢＬＥインタフェース２１３は、ＢＬＥ発信器８０１からの電波（ＢＬＥ信号）を受信すると、その電界強度を測定し、ＢＬＥ信号から識別情報を抽出する。ＢＬＥインタフェース２１３は、測定された電界強度と抽出された識別情報とを制御部２１２に通知する。ここで、制御部２１２は、測定された電界強度を「強」、「中」、「弱」の３段階のいずれに属するかを判定し、その判定結果と識別情報とを含むＢＬＥ情報を、ＩＰインタフェース２１１を介して呼制御サーバ１０１に通知する。なお、図５においては、ＩＰ電話機２０１が利用者Ａから受信したＢＬＥ信号の電界強度は「強」であったとする。
【００３０】
図６は、ＩＰ電話機２０１及び２０２から通知されたＢＬＥ情報に基づいて呼制御サーバ１０１が得る情報の例である。呼制御サーバ１０１は、識別情報と利用者及びその電話番号との対応を示すテーブルを保持している。呼制御サーバ１０１は、識別情報をキーとして当該テーブルから利用者とその電話番号とを検索することで、図６に示す情報を得る。図６は、利用者ＡがＩＰ電話機２０１の近傍に所在し、ＩＰ電話機２０１に登録される利用者Ａの電話番号は「電話番号ａ」であり、ＩＰ電話機２０１における利用者ＡのＢＬＥ信号の電界強度は「強」であることを示す。
【００３１】
図５の場合には、ＩＰ電話機２０１に関してのみ、利用者情報及びＢＬＥ信号の電界強度が図６に示すように記録される。利用者ＡとＩＰ電話機２０２との距離が大きいため、ＩＰ電話機２０２は利用者ＡのＢＬＥ信号を検出できず、ＩＰ電話機２０２は呼制御サーバにＢＬＥ情報を通知しない。その結果、ＩＰ電話機２０２に関しては利用者情報及び電界強度は図６には記載されない。
【００３２】
図７は、ＩＰ電話機に電話番号が登録される様子の例を示す図である。図７の上の表は、図４で説明した初期番号登録状況を示す。受信されたＢＬＥ信号が１個のみの場合（例えば、ＩＰ電話機２０１の近傍に利用者Ａしかいない場合）には、当該ＢＬＥ信号に対応する利用者Ａの電話番号ａがＩＰ電話機２０１のメイン電話番号に登録される。この処理において、メイン電話番号とサブ電話番号は例えば図７の下の表のように登録内容が変化する。電話番号の登録後、呼制御サーバ１０１はＩＰ電話機２０１に制御信号を送信し、ＩＰ電話機２０１を配下の固定電話機として登録する。ＩＰ電話機２０１は、呼制御サーバ１０１から受信した制御信号に基づいて制御される。例えば、呼制御サーバ１０１は、制御信号により、メイン電話番号である電話番号ａをＩＰ電話機２０１に表示させることができる。
【００３３】
このように、利用者ＡのＢＬＥ情報がＩＰ電話機２０１から呼制御サーバ１０１に通知される結果、ＩＰ電話機２０１のメイン電話番号として利用者Ａの電話番号ａが登録され、ＩＰ電話機２０１はあたかも利用者Ａの電話機であるように利用できるようになる。また、ＩＰ電話機２０１の固有電話番号１はサブ電話番号として登録される。このため、ＩＰ電話機２０１に対しては、電話番号ａ又は固有電話番号１のいずれをダイヤルしても電話をかけることができる。この手順は、後に説明する図１２のフローチャートのステップＳ０４において、ＢＬＥ信号が１個のみの場合（ステップＳ０４：Ｎｏ）に対応する。
【００３４】
複数のＢＬＥ信号がＩＰ電話機２０１において受信される場合について説明する。図８は、ＩＰ電話機２０１に利用者Ａ〜Ｃが接近した場合を説明する図である。図９は、図８の場合においてＩＰ電話機２０１及び２０２で受信されるＢＬＥ信号から得られる情報の例を示す図である。
【００３５】
ＩＰ電話機２０１は、利用者Ａ〜Ｃがそれぞれ携帯するＢＬＥ発信器８０１〜８０３からＢＬＥ信号を受信する。なお、ＩＰ電話機２０２はＢＬＥ発信器８０１〜８０３から離れているためＢＬＥ信号を受信できないものとする。この場合、利用者Ａ及びＢから受信したＢＬＥ信号の電界強度が「強」であり、利用者Ｃから受信したＢＬＥ信号の電界強度が「弱」であったとすると、ＢＬＥ情報に基づいて呼制御サーバ１０１において保持される情報は図９のようになる。
【００３６】
電界強度が最も強い段階（図９では「強」）にあるＢＬＥ信号が複数の利用者（利用者Ａ及びＢ）から受信されている場合には、呼制御サーバ１０１は、それらの中から優先度が最も高い１名の利用者の電話番号をＩＰ電話機２０１のメイン電話番号として登録する。優先度に基づく電話番号の登録について以下に説明する。
【００３７】
図１０は、ＩＰ電話機毎の優先度の設定例を示す図である。利用者Ａ、Ｂ、Ｃの優先度がそれぞれ「中」、「高」、「低」と設定されている。優先度は、ＩＰ電話機２０１に登録されるメイン電話番号を１個のみとするために用いられる。利用者毎に全て異なる優先度が設定されることで、最も優先度が高い利用者を１名のみ特定できる。利用者毎の優先度の情報を含む図１０の表は、呼制御サーバ１０１によって保持される。優先度は、呼制御サーバ１０１に予め設定されていてもよいし、ＢＬＥ発信器８０１〜８０３が送信するＢＬＥ信号に利用者の優先度の情報が含まれていてもよい。この場合、優先度の情報はＩＰ電話機２０１を経由して呼制御サーバ１０１に通知される。
【００３８】
図１１は、図９及び図１０で説明した場合における、呼制御サーバ１０１に登録される電話番号の例を示す図である。図９において、利用者Ａと利用者ＢとはいずれもＢＬＥ信号の電界強度が「強」であることが示された。そして、図１０では、利用者Ｂの優先度が利用者Ａよりも高いことが示された。その結果、図１１に示されるように、ＩＰ電話機２０１のメイン電話番号には優先度がより高い利用者Ｂの電話番号である電話番号ｂが登録される。さらに、サブ電話番号にはＩＰ電話機２０１の固有電話番号である固有電話番号１、利用者Ａ及び利用者Ｃの電話番号である電話番号ａ及び電話番号ｃが登録される。すなわち、図９のＩＰ電話機２０１の項目に含まれる利用者の電話番号のうち、メイン電話番号以外の電話番号が、サブ電話番号として登録される。
【００３９】
図１１に示される電話番号の登録により、ＩＰ電話機２０１は、発信時には電話番号ｂを相手先に通知する。また、他の電話機は、電話番号ａ、ｂ、ｃ及び固有電話番号１のいずれをダイヤルしてもＩＰ電話機２０１に対して発信できる。
【００４０】
図１２は、以上で説明した電話システム１における電話番号の登録手順の第１の例を示すフローチャートである。図５〜図１１で説明した、呼制御サーバ１０１がＩＰ電話機２０１に電話番号を登録する手順について図１２を用いて説明する。なお、呼制御サーバ１０１によるＩＰ電話機２０１の電話番号の登録は、呼制御サーバ１０１からＩＰ電話機２０１へ登録内容を送信することなく行われてもよい。すなわち、電話番号の登録は、呼制御サーバ１０１内部の設定のみによって行われてもよい。ＩＰ電話機２０２への電話番号の登録に関しても同様である。
【００４１】
ＩＰ電話機２０１から呼制御サーバ１０１にＢＬＥ情報が通知されていない場合には（図１２のステップＳ０１：Ｎｏ）、呼制御サーバ１０１は、ＩＰ電話機２０１の固有電話番号１をメイン電話番号として登録する（ステップＳ０２）。固有電話番号１は、ＩＰ電話機２０１が持つ固有の電話番号である。そして、呼制御サーバ１０１は、ＩＰ電話機２０１にサブ電話番号が登録されている場合には、そのサブ電話番号を消去する（ステップＳ０３）。
【００４２】
ＩＰ電話機２０１が一定期間ＢＬＥ信号を受信しなくなった場合には、それまでの利用者が離席した可能性が高い。このような場合に、呼制御サーバ１０１は、ステップＳ０２及びステップＳ０３の処理によって、固有電話番号１をメイン電話番号として再登録し、ＩＰ電話機２０１が以前に受信したＢＬＥ信号に基づいて登録された電話番号を削除することができる。
【００４３】
呼制御サーバ１０１にＢＬＥ情報が通知された場合（ステップＳ０１：Ｙｅｓ）には、呼制御サーバ１０１は、電界強度が最も強い段階にあるＢＬＥ信号が複数受信されているかどうかを判断する（ステップＳ０４）。「電界強度が最も強い段階」とは、受信されたＢＬＥ信号の電界強度のうち最も電界強度が強いＢＬＥ信号が属する段階（例えば「強」）である。電界強度が「強」であるＢＬＥ信号が受信されていない場合には、電界強度が「中」であるＢＬＥ信号が複数受信されているかどうかが判断される。電界強度が「弱」であるＢＬＥ信号のみが受信されている場合には、電界強度が「弱」であるＢＬＥ信号が複数受信されているかどうかが判断される。
【００４４】
電界強度が最も強い段階にあるＢＬＥ信号が１個のみ受信されている場合には（ステップＳ０４：Ｎｏ）、呼制御サーバ１０１は、その段階の電界強度のＢＬＥ信号に対応する利用者の電話番号をメイン電話番号として登録する（ステップＳ０５）。また、図５及び図６で説明したように、利用者ＡのみがＩＰ電話機２０１に接近した場合も、ステップＳ０１〜ステップＳ０４〜ステップＳ０５の手順によってＩＰ電話機２０１の電話番号が登録される。
【００４５】
一方、例えば図９に示した場合では、「最も電界強度が強いＢＬＥ信号が属する段階」は「強」であり、その段階では複数のＢＬＥ信号が受信されていると判断される。この場合（ステップＳ０４：Ｙｅｓ）、当該複数のＢＬＥ信号に対応する利用者Ａ及びＢのうち、最も優先度が高い利用者の電話番号が、ＩＰ電話機２０１のメイン電話番号として登録される（ステップＳ０６）。利用者の優先度は、例えば図１０に示した設定を用いることができる。
【００４６】
ステップＳ０５又はＳ０６の後、識別情報が呼制御サーバ１０１に通知されたが電話番号がメイン電話番号に登録されなかった利用者の電話番号、及びＩＰ電話機２０１の固有電話番号は、サブ電話番号として登録される（ステップＳ０７）。これは、図１１に示した表において、電話番号ａ、電話番号ｃ及び固有電話番号１がＩＰ電話機２０１のサブ電話番号として登録される手順に対応する。
【００４７】
ステップＳ０３又はステップＳ０７において、ＩＰ電話機２０１の電話番号の登録手順は終了する。以上のステップＳ０１〜Ｓ０７の手順により、ＩＰ電話機２０１が複数の利用者からＢＬＥ信号を受信した場合でも、呼制御サーバ１０１は、ＩＰ電話機２０１の電話番号として１個のメイン電話番号を登録し、残余の電話番号をサブ電話番号として登録できる。
【００４８】
利用者の移動、増加、減少により各ＩＰ電話機において受信されるＢＬＥ信号の状態は変化する。従って、ＩＰ電話機２０１及び２０２は、ＢＬＥ信号を常時あるいは定期的に受信して、ＢＬＥ情報を定期的に呼制御サーバ１０１へ通知してもよい。すなわち、呼制御サーバ１０１は、ステップＳ０３又はステップＳ０７の手順の終了後、ステップＳ０１以降の手順を繰り返し実行してもよい。図１２の手順を所定の頻度で繰り返し実行することで、近隣の利用者の状況の変化に応じてＩＰ電話機２０１及び２０２の電話番号を再登録することができる。
【００４９】
図１３は、電話システム１における電話番号の登録手順の第２の例を示すフローチャートである。図１３では、電話システム１が複数のＩＰ電話機を備える場合に、あるＩＰ電話機から通知されたＢＬＥ情報に対応する利用者が、既に他のＩＰ電話機の電話番号の登録に使われている場合の、電話番号の登録手順が示される。以下では、ＩＰ電話機２０１で電話番号が登録されている利用者Ａの識別信号を含むＢＬＥ信号がＩＰ電話機２０２で受信された場合について説明する。
【００５０】
ＩＰ電話機２０２のＢＬＥインタフェース２１３において新たなＢＬＥ信号が受信されると、当該ＢＬＥ信号から生成された新たなＢＬＥ情報が、ＩＰ電話機２０２から呼制御サーバ１０１に通知される。呼制御サーバ１０１は、通知された新たなＢＬＥ情報に対応する電話番号が他のＩＰ電話機（すなわちＩＰ電話機２０１）の電話番号として登録されているかどうかを判断する（図１３のステップＳ１１）。新たなＢＬＥ情報に対応する電話番号がＩＰ電話機２０１の電話番号として登録されていない場合（ステップＳ１１：Ｎｏ）には、呼制御サーバ１０１は、新たなＢＬＥ情報に基づいてＩＰ電話機２０２に電話番号を登録する（ステップＳ１２）。この登録の手順には、図１２で説明した手順を用いることができる。
【００５１】
新たなＢＬＥ情報に対応する電話番号が既にＩＰ電話機２０１に登録されている場合（ステップＳ１１：Ｙｅｓ）には、以下の手順に進む。すなわち、呼制御サーバ１０１は、新たなＢＬＥ情報に含まれる新たなＢＬＥ信号の電界強度が、ＩＰ電話機２０１における重複する利用者のＢＬＥ信号の電界強度と同じであるかどうかを判断する(ステップＳ１３）。ここで、電界強度の比較は、既に説明した手順である、「強」、「中」、「弱」の３段階によって行われる。
【００５２】
新たなＢＬＥ信号の電界強度の段階がＩＰ電話機２０１において重複する利用者の電界強度の段階と同一である場合は（ステップＳ１３：Ｙｅｓ）、ＩＰ電話機２０１及び２０２に設定された優先度の設定に従い、電話番号が登録される（ステップＳ１４）。例えば、優先度のより高いＩＰ電話機がＩＰ電話機２０２である場合には、新たなＢＬＥ情報に基づいてＩＰ電話機２０２に電話番号が登録され、優先度のより低いＩＰ電話機２０１に当該利用者の電話番号が登録されている場合には、その電話番号は削除される。ステップＳ１４においても、新たなＢＬＥ情報に基づくＩＰ電話機２０２への電話番号の登録手順には、図１２の手順を用いることができる。優先度のより高いＩＰ電話機がＩＰ電話機２０１である場合には、ＩＰ電話機２０２で生成された新たなＢＬＥ情報は破棄され、ＩＰ電話機２０１及び２０２の電話番号の登録は変更されない。
【００５３】
電界強度がＩＰ電話機２０１の利用者の電界強度の段階と異なる場合には（ステップＳ１３：Ｎｏ）、新たなＢＬＥ信号の電界強度が、ＩＰ電話機２０１における重複する利用者のＢＬＥ信号の電界強度よりも強いかどうかが判断される（ステップＳ１５）。新たなＢＬＥ信号の電界強度がより強い場合には（ステップＳ１５：Ｙｅｓ）、ＩＰ電話機２０１から当該利用者の既登録の電話番号は削除され、新たなＢＬＥ信号に基づいてＩＰ電話機２０２に電話番号が登録される（ステップＳ１６）。新たなＢＬＥ信号の電界強度がより弱い場合には（ステップＳ１５：Ｎｏ）、新たなＢＬＥ信号に基づく新たなＢＬＥ情報は破棄され、ＩＰ電話機２０１及び２０２の電話番号の登録状態は変更されない。
【００５４】
図１３の手順を用いることで、呼制御サーバ１０１は、既に電話番号が登録された利用者に対応するＢＬＥ信号が他のＩＰ電話機で受信された場合には、一方のＩＰ電話機のみを選択して、当該利用者の電話番号を登録する。この場合、受信したＢＬＥ信号の電界強度がより強いＩＰ電話機に電話番号が登録され、あるいは、より優先度が高いＩＰ電話機に電話番号が登録される。電話番号の登録対象として選択されなかったＩＰ電話機からは、当該ＢＬＥ信号に対応する利用者の電話番号の登録は削除される。なお、既登録の電話番号の有無はメイン電話番号及びサブ電話番号の両方について確認される。また、既登録の電話番号が削除される場合は、メイン電話番号及びサブ電話番号の両方が削除される。その結果、ある利用者について、電話番号が登録されているＩＰ電話機は必ず１台となる。
【００５５】
（効果の説明）
以上説明したように、第１の実施形態の電話システム１は、ＩＰ電話機が受信したＢＬＥ情報に基づいて、呼制御サーバが当該ＩＰ電話機の電話番号を自律的に登録する。その結果、利用者は、オフィスなどのさまざまな場所に設置されているＩＰ電話機を、あたかも自分自身の電話機として、自身の電話番号を発信及び着信に使用することができる。すなわち、電話システム１は、利用者が、近傍にある通信端末を自身の専用の端末として容易に利用することを可能とする。また、利用者は、ＩＰ電話機に接近するだけで利用者の電話番号をＩＰ電話機に登録できる。このように、電話システム１は、利用者に高い利便性を提供する。
【００５６】
また、利用者はＩＰ電話機を自身の電話機として利用できるとともに、着信に際してはサブ電話番号として登録された他の利用者と当該ＩＰ電話機を共用できる。例えば、他の利用者Ｄの電話番号がサブ電話番号として登録されていれば、利用者Ｄが自席にいなくても、利用者Ｄに対して発信すれば利用者Ｄの近くに存在するＩＰ電話機に着信する。このため、利用者Ｄの電話番号がメイン電話番号として登録されていない場合でも、利用者Ｄの電話番号に発信することで、利用者Ｄと通話できる確率が高まる。
【００５７】
また、呼制御サーバには各利用者のＢＬＥ情報が集まるため、ある利用者がどのＩＰ電話機の近くにいるかが把握できる。すなわち、呼制御サーバが持つ情報に基づいて利用者の所在をトレースすることも可能である。
【００５８】
（第１の実施形態の変形例）
第１の実施形態の構成の変形例について説明する。以下の変形例は実施形態を限定するものではない。
【００５９】
（１）利用者が携帯する発信器で用いられる無線通信規格はＢＬＥに限られない。無線ＬＡＮやＪｉｇｂｅｅといった他の無線規格を用いることもできる。
【００６０】
（２）電話システム１のプロトコルは、ＳＩＰではなくＨ．３２３などの他のＶｏＩＰ（Voice Over IP）プロトコルでもよく、ＰＳＴＮ（Public Switched Telephone Network）に接続された交換機及びアナログ電話を備えるアナログ電話システムでもよい。また、ＩＰ電話機に代えて、ＩＳＤＮ（Integrated Services Digital Network）端末などの通信端末が用いられてもよい。この場合、呼制御サーバに代えて、ＩＳＤＮ交換機が用いられてもよい。また、サブ電話番号に対応する利用者名を表示したり、着信音を利用者に固有に設定されたものを用いたりすることで、共用しているどの利用者への着信かを容易に特定可能な機能が提供されてもよい。
【００６１】
（３）個人を特定する手順は、ＢＬＥ発信器以外の手順で実現されてもよい。例えば、固定電話機の周辺に設置されたカメラによる顔検出データと、カメラによって測定された距離の情報とが呼制御サーバに転送される。そして、呼制御サーバは、顔認証手順を行うことで利用者を特定するとともに固定電話機と利用者との接近の程度を検出できる。この場合、固定電話機との距離が近い利用者ほど、図１０で説明した優先度を高くしてもよい。
【００６２】
（４）さらに、通話を保留中にした状態で利用者が他の固定電話機が設置された場所に移動した場合、例えば図１３のステップＳ１６の手順により、移動後の利用者から新たなＢＬＥ情報を受信した当該他の固定電話機で通話を再開させてもよい。
【００６３】
（第２の実施形態）
第１の実施形態で説明した呼制御サーバ１０１は、以下の構成を備える呼制御装置として記載することもできる。第１の実施形態の対応する構成要素の例を括弧内に示すと、第２の実施形態の呼制御装置は、第１のインタフェース（ＩＰインタフェース１１１）と、第１の制御部（制御部１１２）と、を備える。
【００６４】
第１のインタフェースは、利用者が携帯する発信器（ＢＬＥ発信器８０１）が送信した無線信号を通信端末（ＩＰ電話機２０１）が受信した際の無線信号の受信強度の情報及び識別情報を無線情報（ＢＬＥ情報）として通信端末から受信する。識別情報は、無線信号に含まれる発信器毎に一意に定まる情報である。
【００６５】
第１の制御部は、識別情報と利用者の電話番号との対応を示す利用者情報（図６）を保持し、利用者情報、受信強度の情報及び識別情報に基づいて通信端末で使用する電話番号を決定し、決定された電話番号を持つ端末として通信端末を制御する。
【００６６】
このような構成を備える第２の実施形態の呼制御装置は、通信端末が発信器から受信した無線信号の受信強度の情報及び識別情報に基づいて通信端末を制御するため、利用者は、近傍にある通信端末を自身の専用の通信端末として容易に利用できる。
【００６７】
（第３の実施形態）
第１の実施形態で説明したＩＰ電話機２０１及び２０２は、以下の構成を備える通信端末として記載することもできる。第１の実施形態の対応する構成要素を括弧内に示すと、第３の実施形態の通信端末は、無線インタフェース（ＢＬＥインタフェース２１３）と、第２のインタフェース（ＩＰインタフェース２１１）と、第２の制御部（制御部２１２）と、を備える。
【００６８】
無線インタフェースは、利用者が携帯する発信器（例えばＢＬＥ発信器８０１）から無線信号（ＢＬＥ信号）を受信し、受信した無線信号の受信強度の情報及び無線信号に含まれる発信器毎に一意に定まる識別情報を取得する。第２のインタフェースは、受信強度の情報及び識別情報を無線情報（ＢＬＥ情報）として呼制御装置（呼制御サーバ１０１）に送信する。
【００６９】
第２の制御部は、無線情報に基づいて呼制御装置が生成した制御指示に基づいて通信端末を制御する。
【００７０】
このような構成を備える第３の実施形態の通信端末は、通信端末が発信器から受信した無線信号の受信強度の情報及び識別情報を呼制御装置に送信し、これらに基づいて生成された制御指示によって制御される。その結果、利用者は、近傍にある通信端末を自身の専用の通信端末として容易に利用できる。
【００７１】
各実施形態で説明した呼制御サーバ、呼制御装置、ＩＰ電話機及び通信端末の機能は、プログラムをコンピュータが実行することによって実現されてもよい。コンピュータとして、信号処理装置、中央処理装置、マイクロプロセッサを用いることができる。例えば、呼制御サーバ１０１の制御部１１２及びＩＰ電話機２０１の制御部２１２は、プログラムを記憶する記憶装置とコンピュータとを備えてもよい。プログラムは、フレキシブルディスクや光ディスクなどのコンピュータ読取可能な非一時的な記録媒体に格納して配布されてもよく、ＩＰ網３０１を介して配信されてもよい。コンピュータは、記憶装置からプログラムを読み込んで実行する。
【００７２】
また、本発明の実施形態は以下の付記のようにも記載されうるが、これらには限定されない。
【００７３】
（付記１）
利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信する第１のインタフェースと、
前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する第１の制御部と、
を備える呼制御装置。
【００７４】
（付記２）
前記第１の制御部は、
前記受信強度が所定の閾値以上である前記無線情報に含まれる前記識別情報に対応する前記利用者の電話番号を前記利用者情報から選択し、
選択された前記利用者の電話番号を、前記通信端末の発信者情報として用いられるメイン電話番号として登録し、
前記利用者情報に含まれる前記利用者の電話番号のうち、前記メイン電話番号以外の電話番号を、他の通信端末から前記通信端末への発信に用いられるサブ電話番号として登録する、
付記１に記載された呼制御装置。
【００７５】
（付記３）
前記第１の制御部は、
前記識別情報毎に優先度が設定された第１の優先度情報を保持し、
前記受信強度が前記閾値以上である前記無線情報が複数ある場合には、前記第１の優先度情報に基づいて選択された一の前記利用者の電話番号を前記メイン電話番号として登録する、
付記２に記載された呼制御装置。
【００７６】
（付記４）
前記第１の制御部は、
前記識別情報に対応する電話番号が他の通信端末の電話番号として使用されている場合には、前記通信端末及び前記他の通信端末から通知されたそれぞれの前記受信強度に基づいて、前記通信端末及び前記他の通信端末のいずれか一方に電話番号を登録する、
付記１乃至３のいずれか１項に記載された呼制御装置。
【００７７】
（付記５）
前記第１の制御部は、
前記通信端末及び前記他の通信端末にそれぞれ優先度が設定された第２の優先度情報を保持し、
前記通信端末及び前記他の通信端末から通知されたそれぞれの前記受信強度がいずれも所定の範囲内にある場合には、前記第２の優先度情報に基づいて選択された一の通信端末にのみ電話番号を登録する、
付記４に記載された呼制御装置。
【００７８】
（付記６）
利用者が携帯する発信器から無線信号を受信し、受信した前記無線信号の受信強度の情報及び前記無線信号に含まれる前記発信器毎に一意に定まる識別情報を取得する無線インタフェースと、
前記受信強度の情報及び前記識別情報を無線情報として呼制御装置に送信する第２のインタフェースと、
前記無線情報に基づいて前記呼制御装置が生成した制御信号に基づいて自端末を制御する第２の制御部と、
を備える通信端末。
【００７９】
（付記７）
前記第２の制御部は、前記無線インタフェースから取得した前記無線信号の受信強度の情報が属する段階を判定し、前記無線信号の受信強度の情報が属する前記段階を前記無線情報に含まれる前記受信強度として前記第２のインタフェースに送信させる、
付記６に記載された通信端末。
【００８０】
（付記８）
前記段階は、「強」、「中」、「弱」の３段階である、付記７に記載された通信端末。
【００８１】
（付記９）
利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信し、
前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する、
呼制御装置の制御方法。
【００８２】
（付記１０）
さらに、
前記受信強度が所定の閾値以上である前記無線情報に含まれる前記識別情報に対応する前記利用者の電話番号を前記利用者情報から選択し、
選択された前記利用者の電話番号を、前記通信端末の発信者情報として用いられるメイン電話番号として登録し、
前記利用者情報に含まれる前記利用者の電話番号のうち、前記メイン電話番号以外の電話番号を、他の通信端末から前記通信端末への発信に用いられるサブ電話番号として登録する、
付記９に記載された呼制御装置の制御方法。
【００８３】
（付記１１）
さらに、
前記識別情報毎に優先度が設定された第１の優先度情報を保持し、
前記受信強度が前記閾値以上である前記無線情報が複数ある場合には、前記第１の優先度情報に基づいて選択された一の前記利用者の電話番号を前記メイン電話番号として登録する、
付記１０に記載された呼制御装置の制御方法。
【００８４】
（付記１２）
さらに、
前記識別情報に対応する電話番号が他の通信端末の電話番号として使用されている場合には、前記通信端末及び前記他の通信端末から通知されたそれぞれの前記受信強度に基づいて、前記通信端末及び前記他の通信端末のいずれか一方に電話番号を登録する、
付記９乃至１１のいずれか１項に記載された呼制御装置の制御方法。
【００８５】
（付記１３）
さらに、
前記通信端末及び前記他の通信端末にそれぞれ優先度が設定された第２の優先度情報を保持し、
前記通信端末及び前記他の通信端末から通知されたそれぞれの前記受信強度がいずれも所定の範囲内にある場合には、前記第２の優先度情報に基づいて選択された一の通信端末にのみ電話番号を登録する、
付記１２に記載された呼制御装置の制御方法。
【００８６】
（付記１４）
利用者が携帯する発信器から無線信号を受信し、受信した前記無線信号の受信強度の情報及び前記無線信号に含まれる前記発信器毎に一意に定まる識別情報を取得し、
前記受信強度の情報及び前記識別情報を無線情報として呼制御装置に送信し、
前記無線情報に基づいて前記呼制御装置が生成した制御信号に基づいて自端末を制御する、
通信端末の制御方法。
【００８７】
（付記１５）
さらに、
取得した前記無線信号の受信強度の情報が属する段階を判定し、前記無線信号の受信強度の情報が属する前記段階を前記無線情報に含まれる前記受信強度として前記呼制御装置に送信する、
付記１４に記載された通信端末の制御方法。
【００８８】
（付記１６）
前記段階は、「強」、「中」、「弱」の３段階である、付記１５に記載された通信端末の制御方法。
【００８９】
（付記１７）
呼制御装置のコンピュータに、
利用者が携帯する発信器が送信した無線信号を通信端末が受信した際の前記無線信号の受信強度の情報及び前記無線信号に含まれる前記発信器毎に一意に定まる識別情報を、無線情報として前記通信端末から受信する手順、
前記識別情報と前記利用者の電話番号との対応を示す利用者情報を保持し、前記利用者情報、前記受信強度の情報及び前記識別情報に基づいて前記通信端末で使用する電話番号を決定し、決定された前記電話番号を持つ端末として前記通信端末を制御する手順、
を実行させるための呼制御装置の制御プログラム。
【００９０】
（付記１８）
通信端末のコンピュータに、
利用者が携帯する発信器から無線信号を受信し、受信した前記無線信号の受信強度の情報及び前記無線信号に含まれる前記発信器毎に一意に定まる識別情報を取得する手順、
前記受信強度の情報及び前記識別情報を無線情報として呼制御装置に送信する手順、
前記無線情報に基づいて前記呼制御装置が生成した制御信号に基づいて自端末を制御する手順、
を実行させるための通信端末の制御プログラム。
【００９１】
（付記１９）
付記１乃至５のいずれか１項に記載された呼制御装置と、付記６乃至８のいずれか１項に記載された通信端末とが通信可能なように接続された、電話システム。
【００９２】
以上、実施形態を参照して本発明を説明したが、本発明は上記実施形態に限定されるものではない。本発明の構成や詳細には、本発明のスコープ内で当業者が理解し得る、さらにさまざまな変更をすることができる。また、図面に付された信号の向きを示す矢印は例であり、信号の種類や向きを限定しない。
【符号の説明】
【００９３】
１    電話システム
１０１    呼制御サーバ
１１１    ＩＰインタフェース
１１２    制御部
２０１、２０２    ＩＰ電話機
２１１    ＩＰインタフェース
２１２    制御部
２１３    ＢＬＥインタフェース
３０１    ＩＰ網
８０１〜８０３    ＢＬＥ発信器
【図１】
2018019117.tif 000003
【図２】
2018019117.tif 000004
【図３】
2018019117.tif 000005
【図４】
2018019117.tif 000006
【図５】
2018019117.tif 000007
【図６】
2018019117.tif 000008
【図７】
2018019117.tif 000009
【図８】
2018019117.tif 000010
【図９】
2018019117.tif 000011
【図１０】
2018019117.tif 000012
【図１１】
2018019117.tif 000013
【図１２】
2018019117.tif 000014
【図１３】
2018019117.tif 000015